(57)【要約】      （修正有）【課題】前肢の機能低下に対する治療法は、円錐形の副子を用いて保持された前肢の組織を引き延ばすことに重点を置いた物理療法がある。本発明は手副子に関し、道具及び用具の使用を可能とする手副子を提供する。【解決手段】第一の端部４及び第二の端部を有する円筒状の把持部を備えた手副子１である。第一の端部及び第二の端部は、それぞれ道具１２又は用具保持部を有している。道具又は用具保持部には道具又は用具が取り外し可能に挿入され、かつ保持される。【選択図】図３
2006034958.tif 000002
【特許請求の範囲】
【請求項１】
第一の端部及び第二の端部を有する円筒状の把持部を備える手副子であって、
前記第一の端部及び前記第二の端部は、それぞれ道具又は用具の保持部を有し、前記道具又は用具保持部には道具又は用具が取り外し可能に挿入され、かつ保持されることを特徴とする手副子。
【請求項２】
前記第一の端部は前記把持部のカラー部となっており、前記カラー部は半径方向及び軸方向への広がりを有することを特徴とする請求項１に記載の手副子。
【請求項３】
前記第二の端部は丸みを付けられていることを特徴とする請求項１または２に記載の手副子。
【請求項４】
前記第二の端部は実質的に半球形状となっていることを特徴とする請求項３に記載の手副子。
【請求項５】
前記道具又は用具保持部は、前記把持部に対し複数の方向から挿入され、かつ保持される道具のために設けられていることを特徴とする請求項１から４のいずれか一項に記載の手副子。
【請求項６】
前記道具又は用具保持部は、空間的に離隔した複数の方向から挿入され、かつ保持される道具又は用具のために設けられており、前記各方位が異なった半径軸上にあることを特徴とする請求項５に記載の手副子。
【請求項７】
前記道具又は用具保持部に複数のスロットが形成されていることを特徴とする請求項５または６に記載の手副子。
【請求項８】
前記スロットは二つに分かれており、分岐点は実質的に中心長軸上にあることを特徴とする請求項７に記載の手副子。
【請求項９】
前記道具又は用具保持部は穴部を有していることを特徴とする請求項１から８のいずれか一項に記載の手副子。
【請求項１０】
前記穴部は、実質的な中心長軸に沿って内部に延在していることを特徴とする請求項９に記載の手副子。
【請求項１１】
前記スロットは対に配列されており、前記対の各スロットは前記穴部の反対側に延在し、対のスロットの各々は互いに整列していることを特徴とする請求項９または１０に記載の手副子。
【請求項１２】
前記手副子は軟質の内部コアと硬質の外殻とからなることを特徴とする請求項１から１１のいずれか一項に記載の手副子。
【請求項１３】
前記軟質の内部コアと前記硬質の外殻は両者ともポリウレタンで形成されていることを特徴とする請求項１２に記載の手副子。
【請求項１４】
前記軟質の内部コアおよび前記硬質の外殻は両者とも同じモールド処理で形成されていることを特徴とする請求項１３に記載の手副子。
【請求項１５】
前記軟質の内部コアおよび前記硬質の外殻は個別に形成されており、前記硬質の外殻は前記軟質の内部コアに取り付けられていることを特徴とする請求項１２または１３に記載の手副子。
【請求項１６】
実質図に示され、かつ図を参照して述べた手副子。
【発明の詳細な説明】
【技術分野】
【０００１】
本発明は手副子に関し、特に廃疾者の道具及び用具の使用を可能とする手副子に関する。
【背景技術】
【０００２】
前肢の機能低下（タイトハンド（硬直性前肢）とも言う）は、あらゆる年代の人々、さらに、例えば、リューマチ性関節炎、脳卒中、脳性小児まひ、痙直などの病歴を持つ人々に影響を与える。
この症状に対する現在の治療法は、円錐型の副子を用いて保持された前肢の組織を引き伸ばすことに重点を置いた、プログラムされた物理療法である。
【０００３】
円錐型の副子は組織の長さを維持するだけでなく、前肢を機能的な位置に置く。この種の副子は米国特許第５，１５２，７４０号（特許文献１）に記載されており、この特許明細書では、副子は膨張型の浮き袋の形をしている。他の膨張型手副子は米国特許第５，０２０，５１５号（特許文献２）に記載されている。
【０００４】
他の型の手副子は米国特許第４，９６０，１１４号（特許文献３）に記載されており、この特許明細書ではある形状と方向付けを持った把持部材と前腕への取り付け用のブレースとを備えている。
道具の挿入が可能な装置も知られている。かかる装置は高密度発泡プラスチックのボールからなっており、このボールにはアダプターを用いて用具を挿入又は取り付け可能となっている。この装置は「デックスボール（Dexball：商標）」の名で入手可能である。食卓器具用の発砲スチロール製ハンドルは知られている。これは「セレクタライトカットラリ（Selectalite Cutlery：商標）」の名で入手可能である。
【０００５】
公知の副子の持つ問題に一つは、副子が前肢の組織の長さを保持している中で、患者が副子を保持しているとき、物理療法士に指示とともに又はそれにより訓練を通じて患者が作業を行っていないかぎり、副子を保持している前肢の腕全体が不動となりがちとなる、ことである。
公知の副子の他の問題は、指示のない限り、患者によっては、円錐部を持つ副子を逆のやり方で前肢に保持することである。
【０００６】
【特許文献１】米国特許第５，１５２，７４０号明細書
【特許文献２】米国特許第５，０２０，５１５号明細書
【特許文献３】米国特許第４，９６０，１１４号明細書
【発明の開示】
【０００７】
本発明をある観点から見ると、以下のような手副子が提供される。
第一と第二の端部を持つ円筒状の把持部を備えた手副子。第一と第二の端部のそれぞれが道具／用具保持部を有している。道具／用具保持部には道具／用具が取り外し可能に挿入され、かつ保持される。
【発明を実施するための最良の形態】
【０００８】
図１及び図２を参照する。手副子１はグリップ部２、第１の端部４及び第２の端部３を具備する。断面で見て、グリップ部２は第１の端部４と第２の端部３間の軸に沿い全体として円錐形となっており、その縁は湾曲した面となっている。
手副子１の第１の端部４は穴部５とそれから延びる複数のスロット６を有している。これらのスロットについてその詳細を図３及び図４を参照して説明する。
【０００９】
第２の端部３はカラー部７となっており、カラー部の直径は、それとグリップ部２の交わる点においてグリップ部の首部１０より大きい。
使用時は、親指と人差し指とで手副子１を握るかたちとなる。このとき、人差し指は首部１０に置かれている。カラー部７は、手にある手副子１の正確な位置を知る基準点の役目をなし、また、手副子が手から滑り落ちるのを防ぐ役目をなす。
【００１０】
図１に示すように、第２の端部４は穴部８とそれから延びる複数のスロット９を有している。カラー部７は第２の端部の外縁を形成している。
図３と図４はスプーン１１の形をとる用具を備えた手副子１を示す。図４のスプーンはハンドル１２を有し、このハンドルは穴部５とスロット６に挿入されている。
手副子１を手で握った状態で、つまり、手の半径方向（手副子の長軸に関して）の角度は固定となっている。スプーン１１の半径方向（手副子の長軸に関して）の角度は、対向するスロットから他の同様なスロットにスプーン１１を移動させることで変えることができる。図３に示すスプーンは手副子１の第２の端部３にあり、ハンドル１２が穴部８及び対向するスロット９に差し込まれている。
【００１１】
図示の例では、手副子１は硬質の外殻１２で囲まれた軟質の内部コア１１で構成されている。手副子１はポリウレタンで形成され、硬質の外殻１２はモールド処理により形成される。また、手副子はポリウレタンといった第一の材料で形成された軟質の内部コアと、モールド可能な硬質の外殻とから形成可能である。
使用時は、手副子は親指と首部１０に添えられた人差し指とで常に保持される。
【００１２】
道具あるいは用具を異なった角度で手副子に挿入し（道具が置かれるいずれかの対の対向スロットを選択し）、そして手副子の異なった端部に道具又は用具を挿入することで、異なった腕の動き促進、筋肉及び組織の発達を意図した訓練がなされる。
図３と図４では、スプーンが手副子に挿入され、自分で食事をする動作を助ける。訓練としての自分で食事をする動作によりひじと手首での伸張を促進させる。
さらに、自分で食事をする動作は独立に必要である。
一般に、けいれん患者その胸に腕を置く (hold)。
かかる患者が自分で食事をするには、腕を胸から動かす必要がある。
【００１３】
道具または用具を手副子１の第一の端部に挿入することで、この動きが促進される。
理由は、道具又は用具を使用するには、腕を胸から外さねばならないからである。
この状態での適切な訓練として、手副子１の第１の端部４にクレヨンを差し込むことも可能である。この場合、描くには患者は腕を胸から動かさねばならない。
本発明の重要な利点は、その使用において腕を固定しないことである。
手副子との関連で道具又は用具を使用することで、患者が道具又は用具の使用を促される。つまり、患者は機能的な動きをしようとする。これにより、腕の動き、筋肉、組織の発達を早めることとなる。
【図面の簡単な説明】
【００１４】
【図１】本発明の手副子、特にその第１の端部を示す図。
【図２】本発明の手副子、特にその第２の端部を示す図。
【図３】図１に示す手副子に道具／用具を取り付けた図。
【図４】図２に示す手副子に道具／用具を取り付けた図。
【図１】
2006034958.tif 000003
【図２】
2006034958.tif 000004
【図３】
2006034958.tif 000005
【図４】
2006034958.tif 000006
【外国語明細書】
2006034958.tif 000007
2006034958.tif 000008
2006034958.tif 000009
2006034958.tif 000010
2006034958.tif 000011
2006034958.tif 000012
2006034958.tif 000013
2006034958.tif 000014
2006034958.tif 000015
2006034958.tif 000016
2006034958.tif 000017